(57)【要約】【課題】発行に適さない紙葉類を収容可能なリジェクトトレイであって、トレイ内に収容される全てのリジェクト紙葉類の後端縁の位置が最適位置となるように停止させることにより、後続紙葉類が既収容紙葉類の後端縁に衝突してジャム（収容不良）を発生することを防止できるリジェクトトレイ及び紙葉類処理装置を提供する。【解決手段】底板４０と天板４１との間に形成される収容空間Ａを備えた紙葉類収容トレイ３０であって、天板の前端部寄り適所に、収容空間内に突出する制動部材５０を前後及び上下方向へ揺動自在に支持した。【選択図】図２
2008230804.tif 000002
【特許請求の範囲】
【請求項１】
上面に紙葉類を積載する底板と、該底板の上方に対向配置され該底板との間に収容空間を形成する天板と、該収容空間の奥部に配置された後側板と、前記収容空間の前部に設けた紙葉類導入用の前端側開口と、を少なくとも備えた紙葉類収容トレイであって、
前記天板の前端部寄り適所に、前記収容空間内に突出する制動部材を前後及び上下方向へ揺動自在に支持したことを特徴とする紙葉類収容トレイ。
【請求項２】
前記制動部材は、常時においては自重または弾性部材の付勢力により先端部を前記底板上面、或いは該底板上面上の既堆積紙葉類上に当接させている一方、前記収容空間内に前記前端側開口から紙葉類が導入されてきた際には該紙葉類により上方に押圧されて該紙葉類の進入を許容しつつ該紙葉類を制動して該紙葉類の停止位置を規制することを特徴とする請求項１に記載の紙葉類収容トレイ。
【請求項３】
前記天板の下面に前後方向へ延びるリブを少なくとも一つ配置したことを特徴とする請求項１又は２に記載の紙葉類収容トレイ。
【請求項４】
プリンタと、該プリンタから出力されたリジェクトすべき紙葉類を収容するリジェクトトレイとしての請求項１、２又は３に記載の紙葉類収容トレイと、を備えたことを特徴とする紙葉類処理装置。
【発明の詳細な説明】
【技術分野】
【０００１】
本発明は例えば証明書、券類等を自動的に印刷、発行する発行装置に装備されてリジェクトすべき印刷物を収容するリジェクトトレイとして利用される紙葉類収容トレイ、及びこれを用いた紙葉類処理装置に関する。
【背景技術】
【０００２】
近年、各種の自治体、企業、学校等々において、証明書や券類等（以下、証明書等、という）を発行する手段として自動発行装置が導入され、数多く利用されている。証明書等は、その性質上から必要枚数を過不足なく正確に発行する必要がある。
この種の自動発行装置として、プリンタと、プリンタから出力された印刷済み用紙にステープル処理、或いは契印処理を施すための後処理装置と、これらを制御する制御装置と、を組合せ使用したタイプが知られており、複数の収納棚を有した筐体内に上述の各機器を収納することにより一つの自動発行装置を構成している。
【０００３】
図５は上記の如き自動発行装置の内部構成を示す側部縦断面図である。
自動発行装置１００は、筐体本体１０１と、筐体本体１０１の前面を開閉するために枢支された前扉１０２と、筐体本体１０１内の下部に配置されたプリンタ収納部１０５、後処理装置収納部１０６等を備えている。プリンタ収納部１０５内にはプリンタ１１０が収容され、後処理装置収納部１０６内には後処理装置１１１及び紙葉類揃え装置１１２が収容されている。前扉１０２に設けた発行口１０３の内部には発行用紙葉類保留部１１５が配置されている。更に、筐体本体１０１内には制御用ＰＣ（制御部）１２０、筐体本体前面には利用者用タッチパネルディスプレイ１２１が配置され、プリンタ１１０、後処理装置１１１、紙葉類揃え装置１１２等を制御、操作するように構成されている。また、投入された金銭を処理し、釣銭を払い出す機構を備えた図示しない金銭決済部を備えている。
【０００４】
また、プリンタ１１０と後処理装置１１１との間の搬送経路中には、重送、規格外サイズ等の理由によって後処理装置１１１へ移送することができない紙葉類を収容するリジェクトトレイ１３０と、分岐部１３１に設けた分岐爪１３２と、分岐部１３１の上流側に設けた重送センサ１３３と、が配置されている。
プリンタ１１０の排紙口から上方へ向けて排紙された印刷済み紙葉類は搬送経路を経て分岐部１３１に達すると、分岐部１３１に設けた分岐爪１３２によって紙葉類揃え装置１１２及び後処理装置１１１へ向かう経路と、リジェクトトレイ１３０に向かう経路の何れかに仕分けられる。プリンタによる印刷、及びその後の搬送が正常に行われている場合には制御部１２０は紙葉類が紙葉類揃え装置１１２へ搬送されるように分岐爪１３２及び搬送機構を制御する。一方、プリンタから出力された紙葉類をリジェクトすべき場合には制御部１２０は紙葉類がリジェクトトレイ１３０へ搬送されるように分岐爪１３２及び搬送機構を制御する。
後処理装置１１１は、ステープラ及び契印装置から構成されており、プリンタ１１０から出力されてきて紙葉類揃え装置１１２内に必要枚数積載された紙葉類束（証明書類束）の一端縁にステープル及び契印処理を行う。その後、紙葉類揃え装置１１２を破線で示すように上方に回動させることにより、ステープル等の後処理を受けた紙葉類束は発行用紙葉類保留部１１５に移送されて発行口１０３から機外に発行される。
【０００５】
ところで、リジェクトトレイ１３０は、図６（ａ）に示すように板金製の箱体であり、前部開口１３０ａからリジェクト紙葉類を内部に一枚ずつ順次受け入れて積載させる構成を備えている。また、リジェクトトレイが受入れ可能な紙葉類サイズは一定ではなく、例えばＡ４縦、Ａ４横、その他の異サイズの紙葉類を収容可能なトレイサイズとなっている。このようなリジェクトトレイ１３０の前部開口１３０ａに対して同図（ｂ）に示したように斜め上方に配置した搬送機構としてのローラ、ベルト機構１３５によって紙葉類Ｓを前部開口１３０ａ内に進入させる場合、トレイ内における紙葉類Ｓの停止位置は紙葉類のサイズ、カール癖の有無、静電帯電状態等によって一定とならず、停止した後の紙葉類の後端部位置にばらつきがあった。
【０００６】
しかし、リジェクトトレイ１３０内に紙葉類Ｓを受け入れる際に、先行して収容された紙葉類Ｓ１の後端縁がリジェクトトレイの前部開口よりも奥側に入り込み過ぎていると、後続の紙葉類の前端縁が既収容の紙葉類の後端縁に衝突してジャムが発生する虞が高くなる。特に、既収容の紙葉類にカールや折れ癖等がある場合には衝突によるジャムが発生する可能性が高くなる。後続紙葉類との衝突を防止するための先行紙葉類の理想的な停止位置は破線で示した如き位置であるが、紙葉類の進入速度を一定に調整したとしても、紙葉類のサイズの違い、紙葉類の変形の有無、静電帯電の有無等の条件の変動によって停止位置を一定にすることは困難であった。
また、このリジェクトトレイ１３０のように一つのトレイによって異サイズの紙葉類を収容する場合には、Ａ４横サイズのように搬送方向サイズが短い紙葉類はトレイ内への進入時の勢いによってリジェクトトレイの奥部へ入り込み易く、その後端縁が後続紙葉類の前端縁と衝突してトレイ内ジャムを起こす原因となり易かった。
【０００７】
証明書類発行装置の他にも、紙幣、帳票等の紙葉類を受け入れたり発行する装置類においては、リジェクトした紙葉類を収容するトレイが装備されている（例えば、特開２００７−００４６３９、特開平０８−２６６７４４）。しかし、上記の如き従来の不具合を解消するための技術を提案するものではない。
【特許文献１】特開２００７−００４６３９公報
【特許文献２】特開平０８−２６６７４４号公報
【発明の開示】
【発明が解決しようとする課題】
【０００８】
本発明は上記に鑑みてなされたものであり、証明書類、紙幣、帳票等の紙葉類を発行する機能を備えた紙葉類処理装置において、発行に適さない紙葉類を収容するために装置内に配置されて異サイズ、異方向の紙葉類を収容可能なリジェクトトレイであって、トレイ内に収容される全てのリジェクト紙葉類の後端縁の位置が最適位置となるように停止させることにより、後続紙葉類が既収容紙葉類の後端縁に衝突してジャム（収容不良）を発生することを防止できるリジェクトトレイ及び紙葉類処理装置を提供することを目的としている。
【課題を解決するための手段】
【０００９】
上記目的を達成するため、請求項１の発明に係る紙葉類収容トレイは、上面に紙葉類を積載する底板と、該底板の上方に対向配置され該底板との間に収容空間を形成する天板と、該収容空間の奥部に配置された後側板と、前記収容空間の前部に設けた紙葉類導入用の前端側開口と、を少なくとも備えた紙葉類収容トレイであって、前記天板の前部寄り適所に、前記収容空間内に突出する制動部材を前後及び上下方向へ揺動自在に支持したことを特徴とする。
前端側開口から紙葉類が進入してから収容空所の底面に着座して停止する際にその停止位置を一定にするために、制動部材を設けて紙葉類進入時の抵抗となるように構成した。収容トレイ内に堆積した紙葉類の多寡に関係なく、進入してくる紙葉類に対して常に一定の制動力を付与することができる。
【００１０】
請求項２の発明は、請求項１において、前記制動部材は、常時においては自重または弾性部材の付勢力により先端部を前記底板上面、或いは該底板上面上の既堆積紙葉類上に当接させている一方、前記収容空間内に前記前端側開口から紙葉類が導入されてきた際には該紙葉類により上方に押圧されて該紙葉類の進入を許容しつつ該紙葉類を制動して該紙葉類の停止位置を規制することを特徴とする。
請求項３の発明は、請求項１又は２において、前記天板の下面に前後方向へ延びるリブを少なくとも一つ配置したことを特徴とする。
静電帯電した紙葉類が天板の下面に吸着することを防止することができる。
請求項４の発明に係る紙葉類処理装置は、プリンタと、該プリンタから出力されたリジェクトすべき紙葉類を収容するリジェクトトレイとしての請求項１、２又は３に記載の紙葉類収容トレイと、を備えたことを特徴とする。
【発明の効果】
【００１１】
本発明では、底板と天板との間に形成される収容空間内に紙葉類が進入してくる際に、この紙葉類の進入に対する抵抗となる制動部材を揺動自在に配置したので、前端側開口から紙葉類が進入してから収容空所の底面に着座して停止する際にその停止位置を一定にすることができる。このため、先行する紙葉類が奥側に偏位して停止することによって、後続紙葉類が先行紙葉類の後端部に衝突して収容不良となることがなくなる。
特に、収容空所内の既堆積紙葉類の多寡と関係なく常に一定の制動力を進入してくる紙葉類に付与できるので、その停止位置を一定にすることができる。
【発明を実施するための最良の形態】
【００１２】
以下、本発明を添付図面に示した形態例により詳細に説明する。
図１は本発明の一実施形態例に係る紙葉類収容トレイを装備した証明書等の自動発行装置の内部構成を示す側部縦断面図であり、図２はリジェクトトレイの外観図であり、図３（ａ）（ｂ）及び（ｃ）は制動部材の構成を示す平面図、正面図、及び側面図であり、図４（ａ）（ｂ）及び（ｃ）は制動部材の動作説明図である。
なお、本例では、紙葉類収容トレイの一例としてリジェクトトレイについて説明し、紙葉類処理装置の一例として証明書等の自動発行装置について説明する。
【００１３】
自動発行装置（紙葉類処理装置）１は、証明書、券類等のように、偽造防止の必要から特殊用紙としての紙葉類上に所要事項を印刷して発行する装置である。
自動発行装置１は、筐体本体２と、筐体本体２の前面を開閉するために枢支された前扉３と、筐体本体２内の下部に配置されたプリンタ収納部５、後処理装置収納部６等を備えている。プリンタ収納部５内には紙葉類上に所定事項を印刷する印刷手段としてのプリンタ１０が収容され、後処理装置収納部６内には後処理装置１１及び紙葉類揃え装置１２が収容されている。前扉３に設けた発行口４の内部には発行用紙葉類保留部１５が配置されている。更に、筐体本体２内には制御用ＰＣ（制御部）２０、筐体本体前面には利用者用タッチパネルディスプレイ２１が配置され、プリンタ１０、後処理装置１１、紙葉類揃え装置１２等を制御、操作するように構成されている。また、投入された金銭を処理し、釣銭を払い出す機構を備えた図示しない金銭決済部を備えている。
【００１４】
また、プリンタ１０と後処理装置１１との間の搬送経路中には、重送、規格外サイズ等の理由によって後処理装置１１へ移送することができない紙葉類を収容するリジェクトトレイ３０と、分岐部３１に設けた分岐爪３２と、分岐部１３１の上流側に設けた重送センサ３３と、が配置されている。
プリンタ１０の排紙口から上方へ向けて排紙された印刷済み紙葉類は搬送経路を経て分岐部３１に達すると、分岐部３１に設けた分岐爪３２によって紙葉類揃え装置１２及び後処理装置１１へ向かう経路と、リジェクトトレイ３０に向かう経路の何れかに仕分けられる。プリンタ１０による印刷、及びその後の搬送が正常に行われている場合には制御部２０は紙葉類が紙葉類揃え装置１２へ搬送されるように分岐爪３２及び搬送機構（ローラ、ベルト等）３５を制御する。一方、プリンタから出力された紙葉類をリジェクトすべき場合には制御部２０は紙葉類がリジェクトトレイ３０へ搬送されるように分岐爪３２及び搬送機構３５を制御する。
【００１５】
後処理装置１１は、ステープラ及び契印装置から構成されており、プリンタ１０から出力されてきて紙葉類揃え装置１２内に必要枚数積載された紙葉類束（証明書類束）の一端縁にステープル及び契印処理を行う。後処理装置１１による処理は、紙葉類揃え装置１２上の紙葉類束を後処理装置側へスライドさせた上で該紙葉類束の端縁に行い、その後紙葉類揃え装置上に戻すか、或いは後処理装置１１を矢印方向へ移動させた上で紙葉類束の端縁に行う。
その後、紙葉類揃え装置１２を破線で示すように上方に回動させることにより、ステープル等の後処理を受けた紙葉類束は発行用紙葉類保留部１５に移送されて発行口４から機外に発行される。
【００１６】
ここで、リジェクトトレイ３０は、図２に示すように板金製の箱体であり、前部開口からリジェクト紙葉類を内部に一枚ずつ順次受け入れて積載させる構成を備えている。
即ち、リジェクトトレイ３０は、上面に紙葉類を積載する底板４０と、底板４０の上方に対向配置され底板との間に収容空間Ａを形成する天板４１と、収容空間Ａの奥部を閉止する後側板４２と、左右の側板４３と、収容空間Ａの前端部に設けた紙葉類導入用の前部開口（前端側開口）４４と、を少なくとも備えたステンレス製である。天板４１は収容空間内に収容された紙葉類を取り出す際に便利なようにその後端部に設けた軸部４１ａによって上方へ開放自在に軸支されている。底板４０の端縁４０ａは天板４１の端縁４１ｂよりも突出している。
【００１７】
収容空間Ａの奥行き寸法Ｌは、例えば収容可能な最大紙葉類サイズがＡ４縦である場合には、Ａ４縦サイズよりも若干長くなるように設定されている。この場合、紙葉類停止位置としては、Ａ４縦サイズの紙葉類が収容空間Ａ内に収容された時に紙葉類の後端縁が図示した底板の端縁４０ａの位置にて停止していることが好ましい。（このリジェクトトレイは、Ａ４横サイズの紙葉類を収容することもできるように幅方向寸法が設定されているが、Ａ４横サイズの紙葉類の前端縁が後側板４２に接するまで収容空間内に入り込むと、その後端縁が前端側開口４４内に深く入り込んでしまうために後続紙幣との干渉が発生し易くなる。）
そこで、本発明のリジェクトトレイ３０は、天板４１の前端縁寄り適所の幅方向中央部に、収容空間Ａ内に突出する制動部材５０を前後及び上下方向へ揺動自在に支持することにより、収容空間内に進入してくる紙葉類に制動をかけて内奥部に行き過ぎないようにしている。この例では、天板４１の前端部（端縁）４１ｂの中央部に設けた切欠き４１ｃ内に制動部材５０を配置している。
具体的には、制動部材５０は、図４に示すようにステンレス等の金属材料から構成した板部材からなる制動片５１と、制動片５１の中間部適所に設けた回動部５２と、を備え、回動部５２が天板によって回動自在に軸支されている。制動片５１の先端部５１ａは、上向きに所定角度屈曲することにより、その下面によって堆積した紙葉類の上面に安定して接触するように構成されている。
【００１８】
制動部材５０は、図４（ａ）に示す常時（非通紙時）においては制動片５１の自重または弾性部材の付勢力により先端部５１ａを底板上面（既堆積の紙葉類上面を含む）に当接させている一方で、（ｂ）（ｃ）に示すように収容空間Ａ内に前端側開口４４から紙葉類Ｓが導入されてきた際には紙葉類の当接により制動片５１が上方に押圧されて該紙葉類の進入を許容しつつ該紙葉類の進入速度を制動することにより紙葉類の停止位置を規制する。
即ち、リジェクトトレイ３０の前部開口４４内に紙葉類Ｓを送り込む搬送機構３５は所要の搬送速度を満たすために高速作動しており、ここから前部開口４４内に投入される紙葉類には勢いがある。このため、制動部材５０が存在しない場合には紙葉類は収容空所Ｓの内奥部に位置する後側板４２に先端部が当接するまで入り込むことになる。
【００１９】
これに対して本発明では紙葉類Ｓの進入経路中に制動部材５０の制動片５１を揺動自在に配置して、その下面に紙葉類が必ず摺接しながら進入するように構成したので、搬送機構３５から脱離したあとは紙葉類の進入時の勢いが減殺されて最終的な停止位置を一定に調整することができる。底板上面に既に紙葉類が堆積している場合、非通紙時には上下方向に回動自在な制動片５１の先端部５１ａの下面が既堆積紙葉類の上面に着座した状態にある一方で、後続の紙葉類が進入してきた場合には進入してくる紙葉類の腰（変形耐力）によって押し上げられて上昇しつつ紙葉類の通過を許容する。このため、堆積紙幣の有無、堆積量の多寡と関係なく進入してくる紙葉類に対して常に一定の制動力を付与することが可能となり、当該紙葉類後端縁の停止位置を一定にすることができる。
【００２０】
なお、搬送機構３５による紙葉類の進入速度を変更する場合には、制動片５１の重量を増減させればよい。即ち、進入速度が増大する場合には制動片の重量を増大して速度に見合う分だけ重いものを使用し、逆に進入速度が低下する場合には使用する制動片として軽量のものを選択する。従って、回動部５２を、制動片５１が着脱交換可能となるように構成するのが好ましい。
制動部材５０の形状、配置箇所、配置個数は図示の例に限定されるものではない。
【００２１】
次に、リジェクトトレイ内に進入してきた紙葉類が静電帯電している場合に天板４１側に吸着すると、当該浮き上がりの生じた紙葉類に後続の紙葉類が衝突し、ジャム発生の虞がある。
そこで、本発明では、リジェクトトレイの天板４１の下面に前後方向へ延びるリブ６０を少なくとも一つ配置している。リブ６０は静電帯電している紙葉類と天板下面との接触面積を減少させることによって紙葉類が天板下面に吸着することを防止している。更に、帯電による吸着力が制動片５１の押下げ力（自重または反発力）を上回ることも防止している。
【図面の簡単な説明】
【００２２】
【図１】本発明の一実施形態例に係る紙葉類収容トレイを装備した証明書等の自動発行装置の内部構成を示す側部縦断面図である。
【図２】本発明のリジェクトトレイの外観図である。
【図３】（ａ）（ｂ）及び（ｃ）は制動部材の構成を示す平面図、正面図、及び側面図である。
【図４】（ａ）（ｂ）及び（ｃ）は制動部材の動作説明図である。
【図５】従来の自動発行装置の内部構成を示す側部縦断面図である。
【図６】（ａ）及び（ｂ）は従来のリジェクトトレイの外観図、及び紙葉類進入状態を示す断面図である。
【符号の説明】
【００２３】
１…自動発行装置、２…筐体本体、３…前扉、４…発行口、５…プリンタ収納部、６…後処理装置収納部、１０…プリンタ、１１…後処理装置、１５…発行用紙葉類保留部、２０…制御部、２１…利用者用タッチパネルディスプレイ、３０…リジェクトトレイ、３１…分岐部、３２…分岐爪、３３…重送センサ、３５…搬送機構、４０…底板、４０ａ…端縁、４１…天板、４１ａ…軸部、４１ｂ…端縁、４１ｃ…切欠き、４２…後側板、４３…側板、４４…前端側開口（前部開口）、５０…制動部材、５１…制動片、５１ａ…先端部、５２…回動部、６０…リブ。
【図１】
2008230804.tif 000003
【図２】
2008230804.tif 000004
【図３】
2008230804.tif 000005
【図４】
2008230804.tif 000006
【図５】
2008230804.tif 000007
【図６】
2008230804.tif 000008